(57)【要約】【課題】塵埃などが清掃しやすいだけでなく、変形し難く、さらに壁面から脱落しにくい衛生室用巾木及びその巾木を用いた施工方法を提供する。【解決手段】衛生室用巾木１は、少なくとも表面側を、メタクリル樹脂と水酸化アルミニウムとを含む樹脂から形成し、衛生室の壁面２に沿う保護面部４と、保護面部４の下端部から突出した脚面部５とを備えた断面Ｌ字状に形成し、脚面部５の先端側上端部５ａを円弧状とし、脚面部５の先端部が床面３の表面を形成する床材３ａで埋もれるようにしたことを特徴とする。【選択図】図３
2016079658.tif 000002
【特許請求の範囲】
【請求項１】
少なくとも表面側を、メタクリル樹脂と水酸化アルミニウムとを含む樹脂から形成し、衛生室の壁面に沿う保護面部と、保護面部の下端部から突出した脚面部とを備えた断面Ｌ字状の衛生室用巾木であって、脚面部の先端側上端部を円弧状とし、脚面部の先端部が該床面表面を形成する床材で埋もれるようにした衛生室用巾木。
【請求項２】
保護面部と脚面部との角部を凹曲面形状として、巾木表面を上端部から下端部に向かい下方傾斜する形状とした請求項１に記載の衛生室用巾木。
【請求項３】
保護面部の裏面側に緩衝材を備えた請求項１又は２に記載の衛生室用巾木。
【請求項４】
少なくとも表面側を、メタクリル樹脂と水酸化アルミニウムとを含む樹脂から形成し、衛生室の壁面に沿う保護面部と、保護面部の下端部から突出し、先端側上端部を円弧状とした脚面部とを備えた断面Ｌ字状の衛生室用巾木を、衛生室の壁面と床面との隅部に配置し、該床面表面を形成する床材を脚面部の先端部が埋もれるように塗工した、衛生室用巾木の納まり構造。
【請求項５】
少なくとも表面側を、メタクリル樹脂と水酸化アルミニウムとを含む樹脂から形成し、衛生室の壁面に沿う保護面部と、保護面部の下端部から突出し、先端側上端部を円弧状とした脚面部とを備えた断面Ｌ字状の衛生室用巾木を、衛生室の壁面と床面との隅部に配置した後、該床面表面を形成する床材を脚面部の先端部が埋もれるように塗工する、衛生室用巾木の施工方法。
【発明の詳細な説明】
【技術分野】
【０００１】
本発明は、衛生室などの内壁面の下端部に沿い配する巾木に関する。
【背景技術】
【０００２】
建物の内壁面下端部には、壁面下端部を保護するために巾木を配することが行われている。例えば、平面長尺板状の巾木を内壁面の下端部に沿い固定して施工される。しかし、このような施工では、巾木と床面とが直角状の配置となるため隅部に埃や塵が溜まり、清掃により除去しにくく、医薬品製造工場や食品工場などの衛生管理が必要な衛生室では問題が生じていた。
【０００３】
そこで、埃塵を除去しやすくした巾木ユニットとして、床面から立ち上がる壁面の下端部に該床面に沿うように巾木を延設してなる巾木ユニットであって、巾木の表面を、壁面側に位置する上端部側から床面側に位置する下端部側に向けて下降傾斜させた巾木ユニットが開発されている（下記特許文献１参照）。
【０００４】
また、埃塵の清掃を容易にした巾木として、壁面と床面との交わる隅部に長手方向を沿わして取り付けられる長尺板材の巾木であって、壁面、隅部、床面に間隙を隔てて沿う凹状の湾曲板部を有する巾木本体を備えた巾木が開発されている（下記特許文献２参照）。
【先行技術文献】
【特許文献】
【０００５】
【特許文献１】特開２００３−２７７３５号公報
【特許文献２】特開２０００−２６５６５８号公報
【発明の概要】
【発明が解決しようとする課題】
【０００６】
工場などでは台車により製品を運搬することが多い。そのため、工場などに施工された巾木は、台車の荷台の端部が当たりやすく、衝撃により損傷や変形が生じ、また、壁面から脱落するおそれがあった。特に、金属などの板材からなる巾木は変形しやすく、脱落のおそれが強かった。
【０００７】
そこで、本発明の目的は、塵埃などが清掃しやすいだけでなく、変形し難く、さらに壁面から脱落しにくい衛生室用巾木及びその巾木を用いた施工方法を提供することにある。
【課題を解決するための手段】
【０００８】
本発明の一実施形態の衛生室用巾木は、少なくとも表面側を、メタクリル樹脂と水酸化アルミニウムとを含む樹脂から形成し、衛生室の壁面に沿う保護面部と、保護面部の下端部から突出した脚面部とを備えた断面Ｌ字状の衛生室用巾木であって、脚面部の先端側上端部を円弧状とし、脚面部の先端部が該床面表面を形成する床材で埋もれるようにしたことを特徴とする。
【０００９】
上記形態の巾木は、脚面部の先端部が床材で埋まるように施工できるため、床材との隙間をなくすことができ、塵埃などが清掃しやすいものである。また、メタクリル樹脂と水酸化アルミニウムとを含む樹脂は床材との接着性がよいため、脚面部の先端部が強固に固定され、衝撃を受けても脱落しにくい巾木となる。
【００１０】
上記形態の巾木は、保護面部と脚面部との角部を凹曲面形状として、巾木表面を上端部から下端部に向かい下方傾斜する形状とすることができる。このようにすることにより、巾木表面の塵埃は脚面部の先端部に向かい滑落するので、巾木表面には塵埃が溜まりにくく衛生的になる。
【００１１】
上記形態の巾木は、保護面部の裏面側に緩衝材を備えることができる。このようにすることにより、保護面部に受けた衝撃は緩衝材で吸収されるので巾木が変形しにくくなる。
【００１２】
本発明の他形態として、少なくとも表面側を、メタクリル樹脂と水酸化アルミニウムとを含む樹脂から形成し、衛生室の壁面に沿う保護面部と、保護面部の下端部から突出し、先端側上端部を円弧状とした脚面部とを備えた断面Ｌ字状の衛生室用巾木を、衛生室の壁面と床面との隅部に配置し、該床面表面を形成する床材を脚面部の先端部が埋もれるように塗工した、衛生室用巾木の納まり構造を提供する。
【００１３】
本発明の別の形態として、少なくとも表面側を、メタクリル樹脂と水酸化アルミニウムとを含む樹脂から形成し、衛生室の壁面に沿う保護面部と、保護面部の下端部から突出し、先端側上端部を円弧状とした脚面部とを備えた断面Ｌ字状の衛生室用巾木を、衛生室の壁面と床面との隅部に配置した後、該床面表面を形成する床材を脚面部の先端部が埋もれるように塗工する、衛生室用巾木の施工方法を提供する。
【図面の簡単な説明】
【００１４】
【図１】本発明の一実施形態の巾木の斜視図である。
【図２】図１に示した巾木の背面図である。
【図３】図１に示した巾木の縦断面図である。
【図４】図１に示した巾木の固定孔における縦断面図である。
【図５】本発明の他の実施形態の巾木を示し、固定孔における縦断面図である。
【発明を実施するための形態】
【００１５】
以下、本発明の一実施形態の巾木を説明する。但し、本発明は、この実施形態に限定されるものではない。
【００１６】
本発明の一実施形態の巾木１は、図１〜図４に示すように、塵埃などが溜まることを嫌う医薬品製造工場、食品工場、精密機械工場などの衛生室に適したものであり、壁面２と床面３との隅部に沿い固定して使用するものである。
【００１７】
巾木１は、図１〜図４に示すように、断面Ｌ字状の横長長尺状に形成してあり、壁面２に沿う保護面部４と、保護面部４の下端部から突出し、床面３に載せ置く脚面部５と、を備える。
保護面部４は、横長長方形板状に形成してあり、上端側は表面側に下方傾斜する傾斜面４ａとして形成してある。保護面部４の高さ方向中間付近には、横方向に適宜間隔で固定孔４ｂが設けてあり、ビスなどの締結部材４ｃを挿入して、壁面２に固定できるようにしてある。
脚面部５は、保護面部４の下端部から略垂直状に表面側に突出し、脚面部５の先端側上端部５ａを断面円弧状に形成し、先端部が下方に向けて円弧状乃至湾曲状に傾斜するようにしてある。先端側上端部５ａは、脚面部５の先端側の厚さ寸法と同じ半径の円弧状に形成することができる。これに限定するものではなく、脚面部５の先端側の厚さ寸法よりも小さく又は大きい半径としてもよく、下方傾斜させてあればよい。
【００１８】
保護面部４と脚面部５との角部５ｂは、凹曲面形状に形成することができ、断面凹湾曲状にすることにより巾木１の表面を上端部から下端部に向かい下方傾斜する形状とすることができる。このようにすることにより、巾木１の表面は上端部から下端部に向かい上昇する部分がないため、巾木１の表面の塵埃は下端部側に滑落し、表面上に溜まることがなく衛生的になる。
【００１９】
巾木１は、図２又は図３に示すように、表面を形成する表面材６と、裏面を形成する裏面材７と、その間に配した緩衝材８とから形成することができる。
【００２０】
表面材６は、メタクリル樹脂と水酸化アルミニウムとを含む樹脂から形成することができ、保護面部６の表面側と脚面部５とを一体として形成してある。表面材６は、横長長方形状に形成してあり、上端部を傾斜状に形成し、下端部を表面側に突出させて脚面部５を形成してある。
メタクリル樹脂と水酸化アルミニウムとを含む樹脂は、メタクリル樹脂を３０質量％以上、好ましくは４０質量％以上含み、水酸化アルミニウムを７０質量％以下、好ましくは６０質量％以下含む。メタクリル樹脂と水酸化アルミニウムとを含む樹脂中には、メタクリル酸メチルを１質量％以下、特に０．８質量％以下含むのが好ましい。
表面材６の裏面側には、裏面側に突出し、縦方向に伸びる突条部６ａが巾木１の長尺方向に適宜間隔で形成してある。突条部６ａの高さ方向中間付近には固定孔４ｂが設けてある。
【００２１】
緩衝材８は、発泡ウレタン、発泡ポリスチレンなどから形成することができ、突条部６ａ間に配してあり、保護面部４の裏面側に位置させる。緩衝材８を備えることにより、保護面部４で受けた衝撃を吸収し、巾木１が変形することを防ぐことができる。
【００２２】
裏面材７は、硅酸カルシウムなどから形成した長方形状板材からなり、緩衝材８を被覆するように配し、巾木１の裏面を形成することができる。裏面材７は設けなくてもよい。
【００２３】
巾木１は、例えば、以下のように施工することができる。
巾木１を、図３又は図４に示すように、壁面２の下端部に沿わせて裏面を合わせ、脚面部５を床面３の表面に載せ、壁面２と床面３との隅部に配する。固定孔４ａにビスなどの締結部材４ｃを挿入して締結し、壁面２に固定する。床面３の表面に床材３ａを塗工し、脚面部５の先端部が埋もれるようにする。床材３ａの厚みは、脚面部５の先端部の厚さと同じにすることができる。このように、脚面部５の先端部が床材３ａで埋もれるようにすることにより、巾木１は締結部材４ｃだけでなく、床材３ａによっても固定されているので、脱落しにくくなる。また、巾木１と床材３ａとの間に隙間などができないので清掃などがしやすくなる。巾木１を固定するため、床材３ａの厚みは、脚面部５の先端部の厚さの３０％以上、特に５０％以上とすることが好ましい。なお、床材３ａは、エポキシ樹脂などからなるのが好ましい。また、巾木１の上端部と壁面２との間にシール材９を充填してもよい。
【００２４】
このように、巾木１は、脚面部５の先端部が床材３ａで埋まるように施工できるため、床材３ａとの隙間をなくすことができ、塵埃などが溜まりにくいものである。また、メタクリル樹脂と水酸化アルミニウムとを含む樹脂は床材３ａとの接着性がよいため、脚面部５の先端部が強固に固定され、衝撃を受けても脱落しにくい巾木１の納まり構造となる。
【００２５】
図５には、他の実施形態の巾木１ａが示してある。
巾木１と同じ構成箇所は、同一名称、同一符号を用い、詳しい説明は省略する。
巾木１と主な異なる箇所は、保護面部４ａを横長長方形板状とし、裏面側に緩衝材などを設けてない点である。巾木１ａは、メタクリル樹脂と水酸化アルミニウムとを含む樹脂から形成してある。
このような、巾木１ａでも、上記と同様に施工することにより、床材３ａとの隙間をなくすことができ、塵埃などが溜まりにくくなり、また、脚面部５の先端部５ａが床材３ａにより強固に固定され、衝撃を受けても脱落しにくい巾木１ａの納まり構造となる。
巾木１ａの上端部は水平面状としてあり、巾木１ａの上方に化粧板１０などを備える場合、このような形状が好ましい。
【００２６】
上記実施形態の構成態様は、本発明を限定するものとして挙げたものではなく、技術目的を共通にするかぎり変更は可能であり、本発明はそのような変更を含むものである。
例えば、入隅、出隅などに取り付ける場合は、その形状に沿う形状にすることができる。
【符号の説明】
【００２７】
１，１ａ…巾木
２…壁面
３…床面
３ａ…床材
４…保護面部
４ａ…傾斜面
４ｂ…固定孔
４ｃ…締結部材
５…脚面部
５ａ…先端側上端部
５ｂ…角部
６…表面材
７…裏面材
８…緩衝材
９…シール材
１０…化粧板
【図１】
2016079658.tif 000003
【図２】
2016079658.tif 000004
【図３】
2016079658.tif 000005
【図４】
2016079658.tif 000006
【図５】
2016079658.tif 000007